(57)【要約】【課題】記録装置の大型化を招くことなく、搬送ローラに対して一定の角度で記録媒体を進入させる給送装置および記録装置を提供すること。【解決手段】搬送ローラに対して所定の進入角度で記録媒体が進入するよう搬送経路でガイドする給送ガイドを搬送経路から退避可能に設ける。【選択図】図１
2018012293.tif 000002
【特許請求の範囲】
【請求項１】
連続した記録媒体が装填される装填手段と、
前記装填手段に装填された記録媒体を搬送する搬送手段と、
前記装填手段への記録媒体の装填後、前記連続した記録媒体の残量によって前記搬送手段へ進入する記録媒体の進入角度が変化しないようにするための作用位置に退避位置から移動するガイド手段と、
を有することを特徴とする給送装置。
【請求項２】
前記連続した記録媒体を収納する収納部を備えており、
前記ガイド手段は、前記収納部における、前記連続した記録媒体を投入する開口部に設けられていることを特徴とする請求項１に記載の給送装置。
【請求項３】
前記ガイド手段は、支持部によって支持されており、前記支持部を中心に回動することで、前記作用位置と前記退避位置との間を移動可能であることを特徴とする請求項１又は請求項２に記載の給送装置。
【請求項４】
前記ガイド手段は、支持部材と係合することで、動作可能に設けられており、前記支持部材の回動に伴って回動することを特徴とする請求項１乃至請求項３のいずれか１項に記載の給送装置。
【請求項５】
前記支持部材は、前記収納部に収納された記録媒体を受ける受け部材と接続されており、記録媒体を前記収納部へ投入した際の前記受け部材の回動に伴って、前記支持部材が回動することを特徴とする請求項４に記載の給送装置。
【請求項６】
前記支持部材は、前記搬送手段と接続されており、前記搬送手段の動作に伴って回動する請求項４に記載の給送装置。
【請求項７】
前記記録媒体の前記収納部からの取り出し動作に伴って、前記ガイド手段が退避することを特徴とする請求項２ないし請求項６のいずれか１項に記載の給送装置。
【請求項８】
前記ガイド手段は、手動によって動作可能に設けられていることを特徴とする請求項１乃至請求項７のいずれか１項に記載の給送装置。
【請求項９】
前記連続した記録媒体が、ロール状に巻かれたロール媒体であること
を特徴とする請求項１乃至請求項８のいずれか１項に記載の給送装置。
【請求項１０】
画像を記録する記録手段と、
請求項１乃至請求項９のいずれか１項に記載の給送装置を有すること
を特徴とする記録装置。
【発明の詳細な説明】
【技術分野】
【０００１】
本発明は、ロール紙給送装置及びそれを備えた記録装置に関する。
【背景技術】
【０００２】
図８（ａ）、（ｂ）は、従来の給送装置を示した側面図である。ロール状に巻かれた記録媒体１０を搬送ローラ２１の回転によって引き出す給送装置では、使用開始時の記録媒体がロール状に十分に巻かれた状態と、記録媒体の交換が近づき、ほとんど記録媒体が巻かれていない状態と、では搬送ローラ２１への進入角度が異なる。図８（ａ）は、使用開始時の状態であり、記録媒体は矢印の方向に搬送されており、搬送ローラの進入側で、水平に対して比較的大きな角度で進入している。図８（ｂ）は、記録媒体の交換が近づいた状態であり、搬送ローラの進入側で、水平に対して比較的小さな角度で進入している。
【０００３】
搬送ローラ２１は、搬送ローラのローラ表面と記録媒体との摩擦によって搬送を行っている。そのため、上述のように進入角度が異なる場合、記録媒体の搬送ローラに対する巻き付け角度が異なることになり、搬送ローラと記録媒体との摩擦量に変化が生じて、搬送量が異なり高精度な搬送ができないという課題があった。
【０００４】
そこで、特許文献１では、搬送ローラとロール状に巻かれた記録媒体との間に給送ガイドを設け、記録媒体の残量にかかわらず、搬送ローラに対して常に一定の進入角度で記録媒体を進入させる構成が開示されている。これによれば搬送ローラに対する記録媒体の巻き付け角度の変化を防止することができる。
【先行技術文献】
【特許文献】
【０００５】
【特許文献１】特開２０１３−００１５５９号公報
【発明の概要】
【発明が解決しようとする課題】
【０００６】
しかし、特許文献１の構成では、記録媒体を、搬送ローラとロール状に巻かれた記録媒体との間で、給送ガイドを設けない場合の搬送経路外に設けられた給送ガイドを通すため、給送ガイドを設けない場合と比較して搬送経路が長くなり、記録装置が大型化してしまうという問題があった。
【０００７】
よって本発明は、記録装置の大型化を招くことなく、搬送ローラに対して一定の角度で記録媒体を進入させる給送装置および記録装置を提供することを目的とする。
【課題を解決するための手段】
【０００８】
そのため本発明の記録装置は、連続した記録媒体が装填される装填手段と、前記装填手段に装着された前記記録媒体を搬送する搬送手段と、前記装填部への前記記録媒体の装填後、前記記録媒体の残量によって前記搬送手段へ進入する記録媒体の進入角度が変化しないようにするための作用位置に退避位置から移動するガイド手段と、を有することを特徴とする。
【発明の効果】
【０００９】
本発明によれば、搬送ローラに対して一定の角度で記録媒体を進入させる給送装置および記録装置を実現することができる。
【図面の簡単な説明】
【００１０】
【図１】記録装置を模式的に示した断面図である。
【図２】ロールホルダを示した断面図である。
【図３】ロール紙をロールホルダに投入している状態を示した図である。
【図４】記録によってロール紙が消費された状態を示した図である。
【図５】紙管を取り出す状態を示した図である。
【図６】ロールホルダを示した断面図である。
【図７】ロール紙を搬送ローラで搬送する状態を示した図である。
【図８】従来の給送装置を示した側面図である。
【発明を実施するための形態】
【００１１】
（第１の実施形態）
以下、図面を参照して本発明の第１の実施形態について説明する。  
図１は、本発明の第１の実施形態における記録装置１００を模式的に示した断面図である。記録装置１００はロール状の記録媒体（以下ロール紙ともいう）１０を搬送する搬送ローラ２１を備えた搬送ユニット２０、矢印Ａ方向に搬送される記録媒体に液体を吐出して記録を行う記録ヘッド３０、ロール紙１０を収納（装填）するロールホルダ４０を備えている。記録装置１００は、記録ヘッド３０として、使用されるロール紙（ロール媒体）１０の最大記録幅と略同じ長さに、複数の吐出口が並んで構成されるラインヘッドを用いている。ただし、これに限定するものではなく、記録ヘッドが記録媒体に沿って移動することで記録を行うシリアルタイプの記録ヘッドでもよい。ロールホルダ（収納部）４０から搬送ユニット２０へ給紙された記録媒体は、先端検出センサ２２によって先端が検出され、所定の位置に記録が行われる。
【００１２】
搬送ユニット２０は、ロールホルダ４０から給送された記録媒体を搬送方向に搬送する搬送ローラ２１、記録媒体を支持するプラテン２３、プラテン２３の下流側にロール紙１０を排出する排紙ローラ２４が配置されている。搬送ローラ２１の対向側にはピンチローラ２５、排紙ローラ２４の対向側には拍車２６がそれぞれ配置されている。ピンチローラ２５と拍車２６は、それぞれ搬送ローラ２１、排紙ローラ２６に押圧されており記録媒体を挟み込むことによってプラテン２３に沿って記録媒体を上流側から下流側へと搬送する。
【００１３】
搬送ローラ２１に対して一定の進入角度で記録媒体を進入させるには、搬送ローラの上流側近傍にガイドを設けることが考えられる。しかし、搬送ローラ２１の上流側は、ロール紙１０をロールホルダ４０に出し入れするスペースであり、搬送ローラ２１の上流側近傍にガイドを設けた場合、ロール紙１０の出し入れの際にロール紙１０とガイドとが干渉してしまう。そこで、本実施形態では、搬送ローラ２１の上流側近傍に、退避可能なガイドを設け、出し入れ時にロール紙１０と干渉しない構成としている。
【００１４】
図２は、ロールホルダ４０を示した断面図である。ロールホルダ４０には、上面にロール紙出し入れ用の矩形の開口部４１、搬送ローラ上流側の近傍で搬送されるロール紙１０を支持する給送ガイド（ガイド手段）４２、給送ガイド４２を支持する支持部材４３が設けられている。給送ガイド４２には、一端部と他端部とに、それぞれロール紙幅方向に向けて水平に突出したボス４２ａ、４２ｂが備えられている。一端部に設けられ搬送ローラ２１と隣接するように設けられたボス４２ａは、ロールホルダ４０に回動可能に差し込まれている。また、給送ガイド４２の他端部に設けられ、支持部材４３と給送ガイド４２とを連結するように設けられたボス４２ｂは、ロールホルダ４０に回転およびスライド可能な状態で長孔４３ａに差し込まれ（係合し）ている。給送ガイド４２は、ボス４２ａを中心として、支持部材４３の長孔４３ａで規定される範囲で回動するよう（動作可能）に支持部材４３に連結されている。支持部材４３の下端部は、連結軸４４を中心として回動可能な状態でロールホルダ４０の下部に取り付けられ（接続され）ている。また、ロール紙下部を受けるロール紙受け部４５が、支持部材４３と連動して回動するように設けられている。ロール紙受け部４５のロール紙１０を受ける部分は摺動性に優れており、記録に伴って記録媒体が引き出されることで回転するロール紙１０を直接受ける構成となっている。支持部材４３は、コイルバネ４６によって矢印Ｂ方向に付勢されている。支持部材４３が図２のように搬送ローラ２１側に傾いている状態では、給送ガイド４２は、ロール紙１０の搬送経路から退避した位置（退避位置）にある。このように、給送ガイド４２が搬送経路から退避する（搬送経路から移動可能に設けられている）ことで、ロール紙１０をロールホルダ４０の開口部４１に投入するのに必要な広さを確保することができる。
【００１５】
図３（ａ）、（ｂ）は、ロール紙１０をロールホルダ４０に投入している状態を示した図である。図３（ａ）のように、ロール紙１０が投入される前であり、給送ガイド４２が退避している状態で、ロールホルダ４０にロール紙１０を投入する。ロール紙１０がロールホルダ４０に投入されると（ロール紙を装填後）、ロール紙１０の下部が、ロール紙受け部４５の一部に当接して、ロール紙受け部４５がロール紙１０の自重によって下方に押されて矢印Ｃ方向に回動する。ロール紙受け部４５の回動に伴って、支持部材４３も回動して図３（ｂ）のように直立状態となる。更に、支持部材４３の回動に伴って、給送ガイド４２も矢印Ｄ方向に回動して、ロール紙１０の搬送経路に位置する（作用位置）。この状態でロール紙１０からの給紙が可能となる。記録が行われてロール紙１０が消費される間、搬送ローラ２１に進入する記録媒体は、給送ガイド４２によってガイドされて所定の角度で進入する。
【００１６】
図４は、記録によってロール紙１０が消費された状態を示した図である。ロール紙１０が消費されて紙管１０ａのみになっても、紙管１０ａの自重によって支持部材４３を直立状態に維持することができる。従って、ロール紙１０を使い切るまで、搬送ローラ２１に進入する記録媒体の角度を所定の角度で維持することができ、安定した搬送速度で画像の記録を行うことができる。
【００１７】
図５は、紙管１０ａを取り出す状態を示した図である。紙管１０ａ（もしくはロール紙）を持ち上げて支持部材４３の受け部４５から紙管１０ａが離れると、コイルバネ４６の付勢によって支持部材４３が矢印Ｂ方向に回動し、給送ガイド４２も矢印Ｅ方向に回動する。給送ガイド４２が搬送経路から退避した位置に回動するので、紙管１０ａ（もしくはロール紙）の取り出しに妨げになることはない。
【００１８】
このように、搬送ローラに対して所定の進入角度で記録媒体が進入するよう搬送経路でガイドする給送ガイドを搬送経路から退避可能に設ける。これによって、記録装置の大型化を招くことなく、搬送ローラに対して一定の角度で記録媒体を進入させる給送装置および記録装置を実現することができた。
【００１９】
（第２の実施形態）
以下、図面を参照して本発明の第２の実施形態を説明する。なお、本実施形態の基本的な構成は第１の実施形態と同様であるため、以下では特徴的な構成についてのみ説明する。
【００２０】
第１の実施形態では、給送ガイド４２がロール紙１０の出し入れに連動して回動する構成を説明したが、第２の実施形態は、搬送ローラの駆動に連動して給送ガイドが可動する構成を説明する。
【００２１】
図６は、本実施形態のロールホルダ５０を示した断面図である。ロールホルダ５０は、ロール紙出し入れ用の矩形の開口部５１を備え、搬送ローラ２１の上流側近傍に給送ガイド５２が設けられている。給送ガイド５２は、一端部に、ロール紙幅方向に向けて水平に突出したボス５２ａが備えられている。そして、搬送ローラ２１の端部には、搬送ローラ２１と同軸上で、搬送ローラ２１と同期して回転するレバー５３が設けられている。レバー５３は、ロール紙１０の最大幅から外れた領域に位置しており、レバー５３が回転してもロール紙１０とは干渉しない。搬送ローラ２１とレバー５３とは、トルクリミッタ５４を介して組まれている。レバー５３は、搬送ローラ２１を中心に半径方向に片方にだけ伸びており、給送ガイド５２の通紙面の裏側に当接して給送ガイド５２を回動させるように構成されている。ロールホルダ５０には、給送ガイド５２の回動経路内で給送ガイド５２が搬送経路に沿う位置で突き当たるように突起部材５５が設けられている。
【００２２】
図７は、本実施形態のロールホルダ５０に収納されたロール紙１０を搬送ローラ２１で搬送する状態を示した図である。搬送ローラ２１がロール紙１０を矢印Ａ方向に搬送するために正転方向に駆動すると、搬送ローラ２１の端部に設けてあるレバー５３も矢印Ｆ方向に回転する。回転したレバー５３は、給送ガイド５２に当接し、給送ガイド５２がロールホルダ５０の突起形状５５に当たるまで給送ガイド５２を回動させる。レバー５３は、トルクリミッタ５４によって給送ガイド５２を突起形状５５に付勢し続けるので、給送ガイド５２が搬送経路で記録媒体をガイドする状態で支持する。ロールホルダ５０からロール紙１０を取り出す際には、搬送ローラ２１を逆回転させることでレバー５３による給送ガイド５２の支持が解除され、給送ガイド５２は自重によってロールホルダ５０の開口部５１から退避した位置に回動する。これによって、給送ガイド５２とロール紙１０とが干渉することなくロール紙１０を取り出すことが可能となる。
【００２３】
このように、搬送ローラの駆動に連動して給送ガイドが可動する。これによって、記録装置の大型化を招くことなく、搬送ローラに対して一定の角度で記録媒体を進入させる給送装置および記録装置を実現することができた。
（他の実施形態）
第１の実施形態および第２の実施形態では、給送ガイドをロール紙の投入と搬送ローラの駆動に連動させて搬送経路の位置となるような構成を説明したが、手動によって給送ガイドを搬送経路に位置させ、その後、手動によって退避させてもよい。
【００２４】
また、第１の実施形態及び第２の実施形態では、ロール状に巻かれた記録媒体を例に説明したが、これに限定するものではなく、つづら折のような連続した記録媒体でもよい。
【符号の説明】
【００２５】
１０  ロール紙
２０  搬送ユニット
２１  搬送ローラ
４０  ロールホルダ
４２  給送ガイド
４３  支持部材
【図１】
2018012293.tif 000003
【図２】
2018012293.tif 000004
【図３】
2018012293.tif 000005
【図４】
2018012293.tif 000006
【図５】
2018012293.tif 000007
【図６】
2018012293.tif 000008
【図７】
2018012293.tif 000009
【図８】
2018012293.tif 000010